(57)【要約】      （修正有）【課題】複数のヘッドホルダをキャリッジの基準部材に保持する場合、各ヘッドホルダの記録ヘッドの相対位置を高精度に位置決めできる画像形成装置を提供する。【解決手段】記録ヘッドを保持するヘッドホルダ５１Ａ、５１Ｂをキャリッジ５の基準軸部材７１に引っ掛け部で保持し、ヘッドホルダ５１Ａを基準とし、ヘッドホルダ５１Ｂの水平方向の面内における基準軸部材７１に対する傾きを調整する調整部材９０を備え、調整部材９０は、上下方向の回転軸９０ａに設けられたカム部材であり、副走査方向に沿う方向でヘッドホルダ５１Ｂの引掛け部５３Ｂａと基準軸部材７１との間に配置されている。【選択図】図７
2015174388.tif 000002
【特許請求の範囲】
【請求項１】
液滴を吐出するノズルを有する複数の記録ヘッドと、
前記記録ヘッドを保持する複数のヘッドホルダと、
前記ヘッドホルダを保持するキャリッジと、を備え、
前記キャリッジは主走査方向に配置されたガイド部材に沿って移動可能であり、
前記キャリッジには前記ガイド部材と同じ方向に配置された基準部材を有し、
前記複数のヘッドホルダは、それぞれ前記基準部材に並んで保持され、
少なくとも１つの前記ヘッドホルダと前記基準部材との間に、当該ヘッドホルダの水平方向の面内における前記基準部材に対する傾きを調整する調整手段を備えている
ことを特徴とする画像形成装置。
【請求項２】
前記調整手段を設けた前記ヘッドホルダは、主走査方向の一端部側に前記調整手段が配置され、他端部側は前記基準部材に点接触している
ことを特徴とする請求項１に記載の画像形成装置。
【請求項３】
前記調整手段はカム部材である
ことを特徴とする請求項１又は２に記載の画像形成装置。
【請求項４】
前記調整手段はテーパー形状の部材である
ことを特徴とする請求項１又は２に記載の画像形成装置。
【請求項５】
前記調整手段はねじ部材である
ことを特徴とする請求項１又は２に記載の画像形成装置。
【請求項６】
液滴を吐出する複数のノズルを有する複数の記録ヘッドと、
前記記録ヘッドを保持する複数のヘッドホルダと、
前記ヘッドホルダを保持するキャリッジと、を備え、
前記キャリッジは主走査方向に配設されたガイド部材に沿って移動可能であり、
前記キャリッジには前記ガイド部材と同じ方向に配設された基準部材を有し、
前記複数のヘッドホルダは、それぞれ前記基準部材に並んで保持され、
前記基準部材には、少なくとも１つの前記ヘッドホルダと接触する部分に偏心カム部が設けられ、
前記基準部材を回転させることで前記偏心カム部が接触する前記該ヘッドホルダの水平方向の面内における前記基準部材に対する傾きを調整可能である
ことを特徴とする画像形成装置。
【請求項７】
前記基準部材と前記ヘッドホルダとは、媒体搬送方向において、前記偏心カム部で接触し、高さ方向において、前記偏心カム部以外で直接接触している
ことを特徴とする請求項６に記載の画像形成装置。
【請求項８】
前記ヘッドホルダは、主走査方向において、前記基準部材に接触する複数の接触部を有し、前記偏心カム部は前記複数の接触部の１つに設けられている
ことを特徴とする請求項６に記載の画像形成装置。
【発明の詳細な説明】
【技術分野】
【０００１】
本発明は画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）を記録ヘッドとして用いた液体吐出記録方式の画像形成装置としてインクジェット記録装置などが知られている。
【０００３】
従来、例えば、記録ヘッドを保持する複数のヘッドホルダをキャリッジに配置された基準部材に保持し、複数のヘッドホルダには主走査方向で互いに当たって接触し、相互の相対位置を決める基準面が設けられて、記録ヘッドは、ヘッドホルダの基準面を基準として位置決めされてヘッドホルダに保持され、少なくとも１つのヘッドホルダを他方のヘッドホルダに向けて押圧する加圧手段を備えているものが知られている（特許文献１）。
【０００４】
また、上記のような構成において、偏心カムを使用してヘッドホルダを副走査方向に移動させることで複数のヘッドホルダに搭載されて記録ヘッドの相対位置精度を高精度に位置決めできるようにしたものが知られている（特許文献２）。
【先行技術文献】
【特許文献】
【０００５】
【特許文献１】特開２０１３−０６３５３０号公報
【特許文献２】特開２０１３−０６３５２６号公報
【発明の概要】
【発明が解決しようとする課題】
【０００６】
上述したように複数のヘッドホルダをキャリッジの基準部材に保持する構成にあっては、記録ヘッドと媒体とのギャップを変えることなく、各ヘッドホルダの記録ヘッドの相対位置を高精度に位置決めできるようにする必要がある。
【０００７】
本発明は上記の課題に鑑みてなされたものであり、各ヘッドホルダのヘッドの相対位置を高い精度で容易に位置決め調整できるようにすることを目的とする。
【課題を解決するための手段】
【０００８】
上記の課題を解決するため、本発明に係る画像形成装置は、
液滴を吐出するノズルを有する複数の記録ヘッドと、
前記記録ヘッドを保持する複数のヘッドホルダと、
前記ヘッドホルダを保持するキャリッジと、を備え、
前記キャリッジは主走査方向に配置されたガイド部材に沿って移動可能であり、
前記キャリッジには前記ガイド部材と同じ方向に配置された基準部材を有し、
前記複数のヘッドホルダは、それぞれ前記基準部材に並んで保持され、
少なくとも１つの前記ヘッドホルダと前記基準部材との間に、当該ヘッドホルダの水平方向の面内における前記基準部材に対する傾きを調整する調整手段を備えている
構成とした。
【発明の効果】
【０００９】
本発明によれば、各ヘッドホルダのヘッドの相対位置を高い精度で容易に位置決め調整できる。
【図面の簡単な説明】
【００１０】
【図１】本発明に係る画像形成装置の一例の全体構成を示す外観斜視説明図である。
【図２】同装置のキャリッジ走査機構部の斜視説明図である。
【図３】本発明に第１実施形態におけるヘッドホルダをキャリッジに装着する前の状態を説明するキャリッジ部分の模式的斜視説明図である。
【図４】同じくヘッドホルダをキャリッジに装着した状態を説明するキャリッジ部分の斜視説明図である。
【図５】同実施形態におけるヘッドホルダを加圧するホルダ加圧手段の説明に供するキャリッジ部分の側面説明図である。
【図６】同じく斜視説明図である。
【図７】本発明第１実施形態におけるキャリッジ部分の模式的平面説明図である。
【図８】同じくキャリッジ部分の模式的側面説明図である。
【図９】同実施形態の作用の一例の説明供する調整前のキャリッジ部分の模式的平面説明図である。
【図１０】同じく調整前の滴着弾位置を説明する説明図である。
【図１１】同じく調整後のキャリッジ部分の模式的平面説明図である。
【図１２】同じく調整後の滴着弾位置を説明する説明図である。
【図１３】同実施形態の作用の他の例の説明に供する調整前のキャリッジ部分の模式的側面説明図である。
【図１４】同じく調整前の滴着弾位置を説明する説明図である。
【図１５】同じく調整後のキャリッジ部分の模式的平面説明図である。
【図１６】同じく調整後の滴着弾位置を説明する説明図である。
【図１７】本発明の第２実施形態の説明に供するキャリッジ部分の模式的平面説明図である。
【図１８】本発明の第３実施形態の説明に供するキャリッジ部分の模式的側面説明図である。
【図１９】本発明の第４実施形態の説明に供するキャリッジ部分の模式的側面説明図である。
【図２０】本発明の第５実施形態の説明に供するキャリッジ部分の模式的平面説明図である。
【図２１】同じくヘッドホルダの要部斜視説明図である。
【図２２】図２１のＣ−Ｃ線に沿う引っ掛け部の断面説明図である。
【図２３】同実施形態の基準軸部材の斜視説明図である。
【図２４】同基準軸部材と引っ掛け部の断面説明図である。
【図２５】本発明の第６実施形態における基準軸部材と引っ掛け部の断面説明図である。
【発明を実施するための形態】
【００１１】
以下、本発明の実施形態について添付図面を参照して説明する。本発明に係る画像形成装置の一例について図１及び図２を参照して説明する。図１は同装置の全体構成を示す斜視説明図、図２は同じくキャリッジ走査機構部の斜視説明図である。
【００１２】
この画像形成装置は、シリアル型インクジェット記録装置であり、装置本体１と、記録
装置本体１を支持する支持台２を備えている。
【００１３】
装置本体１の内部には、図示しない両側板で主走査方向に配置されたガイド部材であるガイドロッド３及びガイドステー４が掛け渡され、これらのガイドロッド３及びガイドステー４にキャリッジ５が矢示Ａ方向（主走査方向）に摺動可能に保持されている。
【００１４】
キャリッジ５には、ブラック（Ｋ）、イエロー（Ｙ）、マゼンタ（Ｍ）、シアン（Ｃ）の各色のインク滴を吐出する液体吐出ヘッドからなる記録ヘッド６が搭載されている。各記録ヘッド６には図示しないが、各記録ヘッド６にインクを供給するヘッドタンクが一体的に備えられている。
【００１５】
そして、キャリッジ５を移動走査する主走査機構部１０は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回された牽引部材であるタイミングベルト１４とを備えている。なお、従動プーリ１３は、図示しないテンションスプリングによって外方（駆動プーリ１２に対して離れる方向）にテンションが架けられている。
【００１６】
このキャリッジ５における主走査領域のうち、記録領域では、用紙２０が吸引搬送部７によってキャリッジ５の主走査方向と直交する方向（副走査方向、用紙搬送方向：矢示Ｂ方向）に間欠的に搬送される。
【００１７】
また、主走査領域のうち一方の端部側領域には、記録ヘッド６の維持回復を行う維持回復機構８が配置されている。さらに、主走査方向のキャリッジ移動領域外又は、上記主走査領域のうち他方の端部側領域には、記録ヘッド６のサブタンクに供給する各色のインクを収容したメインカートリッジ９が装置本体１に対して着脱自在に装着される。
【００１８】
また、給紙手段２１には、ロール紙（以下「用紙」という。）２０がセットされているが、幅方向のサイズが異なるロール紙がセット可能である。給紙手段２１から搬送された用紙２０は、装置本体１の後方から前方に向けて、搬送手段により記録領域へ搬送される。
【００１９】
そして、キャリッジ５を主走査方向に移動し、吸引搬送部７にて用紙２０を間欠的に送りながら、記録ヘッド６を画像情報に応じて駆動して液滴を吐出させることによって、用紙２０上に所要の画像が形成される。さらに、画像形成後の用紙２０は、所定の長さにカットされ、装置本体１の正面側に配置された図示しない排紙トレイへ排出される。
【００２０】
次に、キャリッジ５の構成ついて図３及び図４を参照して説明する。図３は同装置におけるヘッドホルダをキャリッジに装着する前の状態を説明するキャリッジ部分の模式的斜視説明図、図４はヘッドホルダをキャリッジに装着した状態を説明するキャリッジ部分の斜視説明図である。
【００２１】
キャリッジ５には、黒用のヘッドホルダ５１Ａと、カラー用のヘッドホルダ５１Ｂとが主走査方向に並んで保持されている。
【００２２】
ヘッドホルダ５１Ａには、副走査方向に千鳥状に配置されたブラックの液滴を吐出する２つの記録ヘッド６Ａ、６Ｂが搭載されている。ヘッドホルダ５１Ｂには、記録ヘッド６Ａと副走査方向位置を同じくして、イエロー、マゼンタ、シアンの液滴を吐出する３つの記録ヘッド６Ｃ、６Ｄ、６Ｅが搭載されている。なお、前記のとおり、記録ヘッドを区別しないときは「記録ヘッド６」と称している。ヘッドホルダ５１Ａ、５１Ｂで保持する記録ヘッド６は１個でもよい。
【００２３】
ここで、キャリッジ５には、ガイドロッド３と同じ方向に基準部材としての基準軸部材７１が設けられている。そして、ヘッドホルダ５１Ａ、５１Ｂ（以下、区別しないときに
は、「ヘッドホルダ５１」という。他の部材も同様とする。）には、基準軸部材７１に着脱可能に嵌り込むフック形状の引っ掛け部５３が設けられ、ヘッドホルダ５１Ａ、５１Ｂは引っ掛け部５３を基準軸部材７１に引っ掛けることでキャリッジ５に保持されている。なお、基準軸部材７１は円柱状、多角形状とすることができる。
【００２４】
ヘッド交換を行うとき、例えば記録ヘッド６の交換を行うときには、ヘッドホルダ５１を基準軸部材７１から取り外し、交換後のヘッドホルダ５１を基準軸部材７１に引っ掛けて保持させる。これにより、交換したヘッドホルダ５１のヘッド位置精度を再現できるとともに、他方のヘッドホルダ５１の記録ヘッド６に対しても高い位置精度を得ることができる。
【００２５】
次に、ヘッドホルダの加圧構造について図５及び図６を参照して説明する。図５は加圧構造の説明に供するキャリッジ部分の側面説明図、図６は加圧部材であるホルダ加圧用カバー部材を組み付けた状態の模式的斜視説明図である。
【００２６】
ヘッドホルダ５１Ａ，５１Ｂは、図５に示すように、キャリッジ５に当って接触する少なくとも一箇所の突き当て部５８を有している。なお、ヘッドホルダ５１Ａ、５１Ｂは、主走査方向でそれぞれ２つの引っ掛け部５３Ａａ、５３Ａｂ、５３Ｂａ、５３Ｂｂを有している。
【００２７】
そして、基準軸部材７１を回転中心としてヘッドホルダ５１をキャリッジ５側に押し付ける方向に加圧する加圧手段であるホルダ加圧機構８０が設けられている。
【００２８】
このホルダ加圧機構８０は、キャリッジ５に後端部８２ｂが軸８１で回転可能に支持されたホルダ加圧用カバー部材８２を有している。カバー部材８２は、例えば図６に示すようにほぼ平板状の部材である。
【００２９】
なお、ここでは、２つのヘッドホルダ５１Ａ、５１Ｂに共通のカバー部材８２としているが、各ヘッドホルダ５１Ａ、５１Ｂごとにカバー部材を設ける構成とすることもできる。
【００３０】
このカバー部材８２の先端部側には、ヘッドホルダ５１に上方から当接する加圧部１８２（加圧部１８２ａ、１８２ｂの総称）を有している。そして、このカバー部材８２とキャリッジ５との間には引っ張りコイルばねなどの弾性部材８３が設けられ、弾性部材８３の弾性的な引っ張り力によって、ホルダ加圧用カバー部材８２の加圧部１８２はヘッドホルダ５１を白抜き矢印方向に加圧（押圧）している。
【００３１】
これにより、ヘッドホルダ５１はカバー部材８２によって基準軸部材７１を回転中心として図５で時計回り方向（白抜き矢印方向）に回動付勢されて、基準軸部材７１とキャリッジ５に押し付けられるので、ヘッドホルダ５１Ａ、５１Ｂの姿勢が規定される。つまり、基準軸部材７１にヘッドホルダ５１を引っ掛け、カバー部材８２を閉じる（ヘッドホルダ５１の上方を覆う）だけでヘッドホルダ５１の姿勢を決めることができる。
【００３２】
その結果、ヘッド交換をユーザーの下で行う場合であっても、容易にヘッド位置を高い精度で決めることができ、ヘッド交換が容易になる。
【００３３】
次に、本発明第１実施形態について図７及び図８を参照して説明する。図７は同実施形態におけるキャリッジ部分の模式的平面説明図、図８は同じくキャリッジ部分の模式的側面説明図である。なお、説明上透過状態で図示する部分もある。
【００３４】
本実施形態において、ヘッドホルダ５１Ａ、５１Ｂは基準軸部材７１によってキャリッジ５に保持されるとともに、キャリッジ５に配置された加圧手段である加圧ばね８５によってキャリッジ５の一方の内側面に寄せられている。
【００３５】
また、ヘッドホルダ５１Ａ、５１Ｂは、加圧ばね８５によって接触部５４が接触し、ヘッドホルダ５１Ａとヘッドホルダ５１Ｂの主走査方向距離が定まっている。
【００３６】
また、ヘッドホルダ５１Ｂの２つの引っ掛け部５３Ｂａ、５３Ｂｂの媒体搬送方向上流側の面（背面という。）５５とキャリッジ５との間には板ばねなどのバネ部材５５が配置され、引っ掛け部５３Ｂａ、５３Ｂｂは基準軸部材７１側に加圧されている。
【００３７】
そして、２つのヘッドホルダ５１Ａ、５１Ｂのうちのヘッドホルダ５１Ａを基準とし、ヘッドホルダ５１Ｂの水平方向の面内における基準軸部材７１に対する傾きを調整する調整手段として調整部材９０を備えている。
【００３８】
調整部材９０は、上下方向に配置された回転軸９０ａに設けられたカム部材であり、図８に示すように、副走査方向に沿う方向でヘッドホルダ５１Ｂの引掛け部５３Ｂａと基準軸部材７１との間に配置されている。
【００３９】
したがって、調整部材９０を回転することで、基準軸部材７１とヘッドホルダ５１Ｂの引っ掛け部５３Ｂａとの距離が変化するので、ヘッドホルダ５１Ａに対するヘッドホルダ５１Ｂの水平方向の面内での基準軸部材７１に対する傾きを調整することができる。
【００４０】
この場合、ヘッドホルダ５１Ｂを水平方向の面内でしか回転させないので、記録ヘッド６と用紙２０の距離（ギャップ）を変化させることなく、ヘッドホルダ５１の傾きを調整することができる。
【００４１】
また、調整部材９０がカム部材であることから、実機上でキャリッジの上方からカム部材にアクセスして回転させることによってヘッドホルダ５１Ａに対するヘッドホルダ５１Ｂの傾きを調整することができる。例えば、組立工程の画像検査において滴着弾位置ズレが問題になった場合などに装置を調整工程に戻すことなく、実機上で滴着弾位置を調整することができるようになる。
【００４２】
なお、上記のように調整部材９０はヘッドホルダ５１Ｂの一方の端部側引っ掛け部５３Ｂａと基準軸部材７１との間に配置しているが、ヘッドホルダ５１Ｂの他方の端部側引っ掛け部５３Ｂｂと基準軸部材７１との間に配置することもできる。
【００４３】
次に、本実施形態の作用の一例について図９ないし図１２を参照して説明する。図９は調整前のキャリッジ部分の模式的平面説明図、図１０は同じく調整前の滴着弾位置を説明する説明図、図１１は調整後のキャリッジ部分の模式的平面説明図、図１２は同じく調整後の滴着弾位置を説明する説明図である。
【００４４】
図９に示すように、ヘッドホルダ５１Ａに対してヘッドホルダ５１Ｂが傾いて（水平方向の面内）設置されてしまった場合、図１０に示すように、ヘッドホルダ５１Ａの記録ヘッド６のノズル列から吐出された液滴９２に対してヘッドホルダ５１Ｂの記録ヘッド６のノズル列から吐出された液滴９３は傾いて用紙２０に着弾することになる。
【００４５】
そのため、液滴９２と液滴９３との着弾位置ずれが生じて画像品質が低下することになる。
【００４６】
そこで、図１１に示すように、調整部材９０を回転させてヘッドホルダ５１Ｂを水平方向の面内で矢印方向に回転させ、ヘッドホルダ５１Ｂの基準軸部材７１に対する傾きを調整する。
【００４７】
これによって、図１２に示すように、ヘッドホルダ５１Ａの記録ヘッド６のノズル列から吐出された液滴９２とヘッドホルダ５１Ｂの記録ヘッド６のノズル列から吐出された液滴９３とはほぼ平行（平衡を含む）に着弾し、着弾位置ずれが低減することになる。
【００４８】
このようにして、ヘッドホルダ５１Ａとヘッドホルダ５１Ｂ間の滴着弾位置ズレを調整することができる。
【００４９】
次に、本実施形態の作用の他の例について図１３ないし図１６を参照して説明する。図１３は調整前のキャリッジ部分の模式的側面説明図、図１４は同じく調整前の滴着弾位置を説明する説明図、図１５は調整後のキャリッジ部分の模式的平面説明図、図１６は同じく調整後の滴着弾位置を説明する説明図である。
【００５０】
図１３に示すように、ヘッドホルダ５１Ｂの副走査方向先端側がヘッドホルダ５１Ａに対して高さ方向に下がってキャリッジ５に取り付いてしまった場合、図１４に示すように、ヘッドホルダ５１Ａとヘッドホルダ５１Ｂの各記録ヘッド６から吐出される滴９２、９３の着弾位置がハの字状にずれてしまう。
【００５１】
そこで、図１５に示すように、調整部材９０によってヘッドホルダ５１Ｂの水平面内の傾きを変えることで、図１６に示すように、ヘッドホルダ５１Ａとヘッドホルダ５１Ｂ間の滴着弾位置ズレを調整することができる。
【００５２】
次に、本発明の第２実施形態について図１７を参照して説明する。図１７は同実施形態の説明に供するキャリッジ部分の模式的平面説明図である。
【００５３】
本実施形態では、ヘッドホルダ５１Ｂの引掛け部５３Ｂａ、５３Ｂｂにおいて、主走査方向に一端部側に調整部材９０を配置し、調整部材９０が配置されていない他端部側の引っ掛け５３Ｂｂには、基準軸部材７１と点接触する接触部５７を設けている。接触部５７は、例えば円弧形状をしている。
【００５４】
このように、調整部材９０が配置されていない側では、接触部５７が基準軸部材７１と点で接触することで、調整部材９０によってヘッドホルダ５１Ｂを傾けた場合でも、基準軸部材７１と接触部５７の接触状態の変化は小さく維持される。
【００５５】
次に、本発明の第３実施形態について図１８を参照して説明する。図１８は同実施形態の説明に供するキャリッジ部分の模式的側面説明図である。
【００５６】
本実施形態では、調整部材９０をテーパー形状の部材としている。この場合も調整部材９０を上下方向に移動可能に配置することによって、基準軸部材７１と引っ掛け部５３Ｂａとの間の距離が変化するので、ヘッドホルダ５１Ｂの傾きを調整できる。このとき図１８のように調整部材９０のテーパー面を上向きとすることにより、引っ掛け部５３Ｂａの下面に基準軸部材７１を押し当てる作用も生じるため、ヘッドホルダ５１Ｂの位置が変動しにくくなる。
【００５７】
次に、本発明の第４実施形態について図１９を参照して説明する。図１９は同実施形態の説明に供するキャリッジ部分の模式的側面説明図である。
【００５８】
本実施形態では、調整部材９０をねじ部材としている。この場合も調整部材９０を媒体搬送方向に進退させることによって、基準軸部材７１と引っ掛け部５３Ｂａとの間の距離が変化するので、ヘッドホルダ５１Ｂの傾きを調整できる。
【００５９】
次に、本発明の第５実施形態について図２０ないし図２４を参照して説明する。図２０は同実施形態の説明に供するキャリッジ部分の模式的平面説明図、図２１は同じくヘッドホルダの要部斜視説明図、図２２は図２１のＣ−Ｃ線に沿う引っ掛け部の断面説明図、図２３は同実施形態の基準軸部材の斜視説明図、図２４は同基準軸部材と引っ掛け部の断面説明図である。
【００６０】
基準軸部材１７１には、図２３に示すように、ヘッドホルダ５１Ｂの引っ掛け部５３Ｂａと接触する部分に偏心カム部１７２が設けられている。偏心カム部１７２の最大外周径は偏心カム部１７２以外の外周径よりも小さくしている。
【００６１】
一方、ヘッドホルダ５１Ｂの引っ掛け部５３Ｂａには、図２１及び図２２に示すように、偏心カム部１７２の周面（カム面）と接触する接触部１５４と、接触部１５４を挟んで主走査方向両側に、高さ方向において、偏心カム部１７２以外で基準軸部材１７１の周面に直接接触する接触部１５５とが設けられている。
【００６２】
また、ヘッドホルダ５１Ｂの引っ掛け部５３Ｂｂは基準軸部材１７１の偏心カム部１７２以外の部分１７３（図２３参照）で基準軸部材１７１に接触している。
【００６３】
このように構成したので、基準軸部材１７１を回転させることによって、基準軸部材１７１の軸心と偏心カム部１７２に接触するヘッドホルダ５１Ｂの引っ掛け部５３Ｂａの接触部１５４との距離が変化する。
【００６４】
したがって、ヘッドホルダ５１Ｂの水平方向の面内における基準軸部材１７１に対する傾きを調整することができる。
【００６５】
このように、基準軸部材１７１を回転させるだけで傾きを調整可能であるので、各ヘッドホルダのヘッドの相対位置を高い精度で容易に位置決め調整できる。
【００６６】
次に、本発明の第６実施形態について図２５を参照して説明する。図２５は同実施形態における基準軸部材と引っ掛け部の断面説明図である。
【００６７】
基準軸部材１７１には、ヘッドホルダ５１Ｂの引っ掛け部５３Ｂａと接触する部分に偏心カム部１７２が設けられている。ここでは、偏心カム部１７２の最大外周径は偏心カム部１７２以外の外周径よりも大きくしている。
【００６８】
一方、ヘッドホルダ５１Ｂの引っ掛け部５３Ｂａは、高さ方向には偏心カム部１７２を逃げる逃げ部１７５が形成されている。つまり、逃げ部１７５を設けることで、高さ方向においては引っ掛け部５３Ｂａが偏心カム部１７２以外で基準軸部材１７１の周面に接触することで高さ方向の変動をなくすことができるため、偏心カム部１７２の最大外周径を偏心カム部１７２以外の外周径よりも大きくすることができ、基準軸部材１７１への偏心カム部の形成が容易になる。
【００６９】
これらの実施形態における偏心カム部を有する基準軸部材は１つのヘッドホルダを保持する場合にも適用することができる。
【００７０】
なお、本願において、「用紙」とは材質を紙に限定するものではなく、また、媒体、被記録媒体、記録媒体、記録紙、記録用紙などと称されるものを含む。また、画像形成、記録、印字、印写、印刷はいずれも同義語とする。
【００７１】
また、「画像形成」とは、文字や図形等の意味を持つ画像を媒体に対して付与することだけでなく、パターン等の意味を持たない画像を媒体に付与すること（単に液滴を媒体に着弾させること）をも含む。
【００７２】
また、「インク」とは、特に限定しない限り、インクと称されるものに限らず、記録液、定着処理液、液体などと称されるものなど、画像形成を行うことができるすべての液体の総称として用いる。例えば、ＤＮＡ試料、レジスト、パターン材料、樹脂なども含まれる。
【００７３】
また、「画像」とは平面的なものに限らず、立体的に形成されたものに付与された画像、また立体自体を三次元的に造形して形成された像も含まれる。
【００７４】
また、画像形成装置には、特に限定しない限り、シリアル型画像形成装置及びライン型画像形成装置のいずれも含まれる。
【符号の説明】
【００７５】
１  装置本体
５  キャリッジ
６、６Ａ〜６Ｄ  記録ヘッド
５１、５１Ａ、５１Ｂ  ヘッドホルダ
５３，５３Ａ、５３Ｂ  引っ掛け部
７１、１７１  基準軸部材（基準部材）
９０  調整部材
１７２  偏心カム部
【図１】
2015174388.tif 000003
【図２】
2015174388.tif 000004
【図３】
2015174388.tif 000005
【図４】
2015174388.tif 000006
【図５】
2015174388.tif 000007
【図６】
2015174388.tif 000008
【図７】
2015174388.tif 000009
【図８】
2015174388.tif 000010
【図９】
2015174388.tif 000011
【図１０】
2015174388.tif 000012
【図１１】
2015174388.tif 000013
【図１２】
2015174388.tif 000014
【図１３】
2015174388.tif 000015
【図１４】
2015174388.tif 000016
【図１５】
2015174388.tif 000017
【図１６】
2015174388.tif 000018
【図１７】
2015174388.tif 000019
【図１８】
2015174388.tif 000020
【図１９】
2015174388.tif 000021
【図２０】
2015174388.tif 000022
【図２１】
2015174388.tif 000023
【図２２】
2015174388.tif 000024
【図２３】
2015174388.tif 000025
【図２４】
2015174388.tif 000026
【図２５】
2015174388.tif 000027